(57)【要約】【課題】本発明は、スプレーの開栓ピンに関し、従来の開栓ピンにおいては、開栓時の蓋が破られて発生する異物が、ガス流路に侵入するおそれがあることが課題であって、それを解決することである。【解決手段】開栓ピンにおけるガスボンベの閉蓋を突き刺して開栓するように本体部から突設されたピン１ｆにおいて、前記ピンの軸心に沿って本体部側から穿設されているガス流路が、当該ピンの途中の位置から屈曲してピンの側壁に向けて穿孔され外部に開口されている開栓ピン１ａとするものである。【選択図】図２
2016164421.tif 000002
【特許請求の範囲】
【請求項１】
開栓ピンにおけるガスボンベの閉蓋を突き刺して開栓するように本体部から突設されたピンにおいて、
前記ピンの軸心に沿って本体部側から穿設されているガス流路が、当該ピンの途中の位置から屈曲してピンの側壁に向けて穿孔され外部に開口されていること、
を特徴とする開栓ピン。
【請求項２】
ピンの側壁は、先端に向かって径が細くなるようにテーパ状になっていること、
を特徴とする請求項１に記載の開栓ピン。
【請求項３】
ガス流路は、本体部側からのガス流路に対してそれと直交する横孔にしてピンの側壁に開口していること、
を特徴とする請求項１または２に記載の開栓ピン。
【請求項４】
ガス流路は、本体部側を後方としピンの先端側を前方として、前記本体部側から前方に穿設されているガス流路に対して斜め後方に交差する方向に屈曲される横孔にして穿設され、ピンの側壁に開口していること、
を特徴とする請求項１または２に記載の開栓ピン。
【請求項５】
請求項１乃至請求項４のいずれか１項に記載の開栓ピンを用いてなる携帯用スプレーであること、
を特徴とする携帯用スプレー。
【発明の詳細な説明】
【技術分野】
【０００１】
本発明は、液体などをミスト状にして噴霧するもので、小型・携帯用スプレーと、それに使用されるものであって、高圧ガスボンベの閉蓋を開ける開栓ピンとに関するものである。
【背景技術】
【０００２】
従来、小型携帯用でガスボンベを使用するスプレーでは、例えば、小型炭酸ガスボンベから炭酸ガスを取り出す方法として、図３（Ａ），（Ｂ）に示すように、先端部に行くに従って細くなる尖塔状のピンに、ガス取出口を先端面に開口させて直線的にガス流路を設けたものや、ピンの先端部をテーパ状にカットしたもの、等が知られている（特許文献１，特許文献２参照）。
【先行技術文献】
【特許文献】
【０００３】
【特許文献１】特開平０８−２８７９４号公報
【特許文献２】特開２００８−１８０３３３号公報
【発明の概要】
【発明が解決しようとする課題】
【０００４】
しかし、従来の携帯用スプレーと開栓ピンにおいては、図３（Ａ）に示す従来例では、ピン先端面に取出口があるので取出口部分が平らになり、開栓の時に多くの力を必要とする。また、図３（Ｂ）に示す従来例においては、ピンの先端が鋭くなっているのでガスボンベの閉蓋を突き破りやすい形状となっているが、その後のねじ込み作業においては、前述と同様に力を必要とするものである。
【０００５】
そして、上記従来例のいずれにおいても、炭酸ガス取出口が開栓ピンの先端にあるので、当該開栓ピンの先端部の強度が弱くなり、高頻度に小型炭酸ガスボンベの交換を行うと、開栓ピンの先端部が損傷し、小型炭酸ガスボンベの閉蓋を突き破る際に支障をきたす可能性がある。
【０００６】
更に、図４（Ａ）に示すように、炭酸ガス取出口が開栓ピンの先端にあるので、開栓した時の封板（閉蓋）の破片（切粉）が、ピン先端に帽子状に被さってガス流路を塞ぐおそれがある。
【０００７】
また、図４（Ｂ）に示すように、ボンベの封板を開栓ピン先端でセン断し開口する際の力を小さくするために、ピン先端部の径φｄ２は小さくせざるを得ない。それに伴いガス取出口の流路の穴径φｄ１も小さくなるので、穴の端部ｃはエッジになり易く、ボンベ開口時に前記φｄ１の穴径で封板がセン断されて、炭酸ガス流路に侵入して該炭酸ガス流路を詰まらせたり、炭酸ガスの圧力調整部であるレギュレータ部に重大な不具合を引き起したりする可能性がある。
【０００８】
本発明に係る携帯用スプレーと開栓ピンは、このような課題を解決するために提案されたものである。
【課題を解決するための手段】
【０００９】
本発明に係る開栓ピンの上記課題を解決して目的を達成するための要旨は、開栓ピンにおける、ガスボンベの閉蓋を突き刺して開栓するように本体部から突設されたピンにおいて、前記ピンの軸心に沿って本体部側から穿設されているガス流路が、当該ピンの途中の位置から屈曲してピンの側壁に向けて穿孔され外部に開口されていることである。
【００１０】
前記ピンの側壁は、先端に向かって径が細くなるようにテーパ状になっていることである。
【００１１】
前記ガス流路は、本体部側からのガス流路に対してそれと直交する横孔にしてピンの側壁に開口していることである。
【００１２】
前記ガス流路は、本体部側を後方としピンの先端側を前方として、前記本体部側から前方に穿設されているガス流路に対して斜め後方に交差する方向に屈曲される横孔にして穿設され、ピンの側壁に開口していることを含むものである。
【００１３】
本発明に係る携帯用スプレーの要旨は、前記本発明に係る開栓ピンを用いてなることである。
【発明の効果】
【００１４】
本発明の携帯用スプレーと開栓ピンによれば、開栓ピンのピン先端を鋭利にすることができて、ガスボンベの閉蓋を開栓する際の必要な力を軽減させることができる。また、ガス取出口がピン側壁に開口する横孔式なので、ピン先端に開口させるガス流路が無いので、当該ピン先端部の強度が強くなり、高頻度にガスボンベの交換が行われても、開栓ピンの先端部が損傷しにくく、耐久性が向上する。
【００１５】
更に、開栓時にガスボンベの閉蓋を突き破る際に発生した閉蓋のバリ等の異物が、横孔式のガス取出口から内部のガス流路に侵入しにくくなって、ガス流路の詰まりや異物によるレギュレータ部の重大な不具合発生を防止できると言う数々の優れた効果を奏するものである。
【図面の簡単な説明】
【００１６】
【図１】本発明に係る携帯用スプレー１の一部拡大して示す縦断面図である。
【図２】同本発明の携帯用スプレー１に使用する開栓ピン１ａの断面図（Ａ）と、他の実施例に係る開栓ピン１ａの断面図（Ｂ）とである。
【図３】従来例に係る開栓ピン１５，１６の断面図（Ａ），（Ｂ）である。
【図４】従来例に係る開栓ピンにおける課題を示す説明図（Ａ），（Ｂ）である。
【発明を実施するための形態】
【００１７】
本発明に係る携帯用スプレー１は、図２に示すように、開栓ピンのガス流路を横孔式にして、ピン先端部を強度的に強くして、且つ、異物の侵入を防止するものである。
【実施例】
【００１８】
本発明に係る携帯用スプレー１は、図１に示すように、上部に液体のミストを噴射させる押し釦２と、該押し釦２を支持し噴射機構部を備える本体部３と、ガスボンベ等を収納する収納ケース（図示せず）と、該収納ケースに収納されている小型炭酸ガスボンベ４と、この小型炭酸ガスボンベ４の吐出圧力を調整するレギュレータ部５と、を少なくとも有してなるものである。
【００１９】
前記小型炭酸ガスボンベ４には、図１に示すように、ガスボンベ上部の開口部に閉蓋４ａがあり、本体部３の下部に設けてある、取付・固定用の雌ネジが刻設された螺子部に、ガスボンベ上部の雄ネジ部を螺着させて嵌合・固定するものである。この際に、前記閉蓋４ａが中奥へと進入することで、本体部３側の開栓ピン１ａにより、図２（Ａ）に示すように、ピン１ｆの尖塔体１ｃが突き刺さって自動的に前記閉蓋４ａが開栓される。
【００２０】
前記開栓ピン１ａは、図２（Ａ）に示すように、 開栓ピン１ａにおいて小型炭酸ガスボンベ４の閉蓋４ａを突き刺して開栓するように、本体基部１ｅから突設されたピン１ｆにおいて、前記ピン１ｆの長手方向における軸心に沿って、前記本体基部１ｅ側からピン１ｆ側へと穿設されている炭酸ガス流路１ｄが、当該ピン１ｆの途中の位置から屈曲して、ピン１ｆの側壁に向けて穿孔され外部に開口されている。
【００２１】
図２（Ａ）に示すように、炭酸ガス流路１ｄを縦孔とすると、ピン１ｆの側壁に開口する横孔１ｂとするものである。この実施例では、炭酸ガス流路１ｄは、本体部１ｅ側からの炭酸ガス流路１ｄに対してそれと直交する横孔にしてピン１ｆの側壁に開口している。
【００２２】
前記横孔１ｂに関しては、本体部１ｅ側からの炭酸ガス流路１ｄに対して、直交させるだけでなく、例えば、図２（Ｂ）に示すように、本体部１ｅ側を後方としピン１ｆの先端側を前方として、本体部１ｅ側から前方に穿設されている炭酸ガス流路１ｄに対して斜め後方に交差する方向に屈曲される横孔１ｂにして穿設され、ピン１ｆの側壁に開口して連通している、炭酸ガス流路にすることもできる。
【００２３】
前記後方に向けて穿設させ炭酸ガス流路１ｄに連通させた横孔１ｂは、小型炭酸ガスボンベ４の閉蓋４ａをピン１ｆで突き刺して破る際に、当該閉蓋４ａのバリ等の異物が発生しても、この異物が閉蓋４ａの進入方向と逆になっている前記横孔１ｂに侵入しにくい孔となる。
【００２４】
前記ピン１ｆの側壁は、図２（Ａ），（Ｂ）に示すように、先端に向かって径が細くなるようにテーパ状になって鋭利になっている。このピン１ｆの先端部分に、ガス流路が無いので、尖塔体１ｃの先端部を鋭く形成可能となり、且つ、全体の強度が強くなり、それによって、閉蓋４ａを突き刺す際の力が軽減される。
【００２５】
このようにして、本発明に係る携帯用スプレー１は、鋭利で強度の強い開栓ピン１ａを採用して、炭酸ガスボンベ４の閉蓋４ａの開栓が容易な携帯用スプレーとなるものである。
【産業上の利用可能性】
【００２６】
本発明に係る携帯用スプレー１と開栓ピン１ａとは、ガスボンベ４の閉蓋４ａを開栓するものに広く適用できる。
【符号の説明】
【００２７】
１          携帯用スプレー、                    １ａ      開栓ピン、
１ｂ        横孔、                              １ｃ      尖塔体、
１ｄ        炭酸ガス流路、                      １ｅ      本体基部、
１ｆ        ピン、
２          押し釦、
３          本体部、
４          小型炭酸ガスボンベ、                ４ａ      閉蓋、
５          レギュレータ部、
６          吐出ノズル、     
１５，１６  従来例の開栓ピン。  
【図１】
2016164421.tif 000003
【図２】
2016164421.tif 000004
【図３】
2016164421.tif 000005
【図４】
2016164421.tif 000006